(57)【要約】【課題】回転駆動軸の同芯度を高精度に得て良好な回転性能を確保できるとともに、一方向クラッチや軸受の効率的且つ確実な防水・防塵を図ることができる形態でリール本体のコンパクト化および軽量化を有利に実現できる魚釣用リールを提供する。【解決手段】本発明の魚釣用リールでは、回転駆動軸８のピニオン歯部８ａの前後が、リール本体１の支持部１ａに設けられた軸受９，９’によって支持される。ピニオン歯部８ａの前側に配置された軸受９の前方側の回動駆動軸８上に設けられる転がり式一方向クラッチ１０の外輪２５は、閉塞端部２５ｃと開放端部２５ｂとを有する略筒状体を形成するとともに、開放端部２５ｂがピニオン歯部８ａの前側に配置された軸受９と対向するように配置される。転がり式一方向クラッチ１０を包囲するカバー体５０がリール本体１の前部に取り付けられ、カバー体５０の収容凹部２４０の開口２４０ａにシール機構１５０が設けられる。【選択図】図２
2010273581.tif 000002
【特許請求の範囲】
【請求項１】
ハンドルで回転操作される回転駆動軸とリール本体との間に、一方向の回転を許容し他方向の回転を阻止する転がり式一方向クラッチを設けて前記回転駆動軸の逆転を防止するようにした魚釣用リールにおいて、
前記回転駆動軸のピニオン歯部の前側と後側とがそれぞれ、リール本体の支持部に設けられた軸受によって支持され、
前記ピニオン歯部の前側に配置された前記軸受の前方側の回動駆動軸上に転がり式一方向クラッチが配置され、
前記転がり式一方向クラッチの外輪は、前記回転駆動軸の挿通によってほぼ閉塞される閉塞端部と反対側の開放端部とを有する略筒状体を形成するとともに、前記開放端部が前記ピニオン歯部の前側に配置された前記軸受と対向するように配置され、
前記転がり式一方向クラッチを包囲するカバー体がリール本体の前部に取り付けられ、該カバー体は、一方向クラッチを内部に収容保持する収容凹部を形成するとともに、この収容凹部の開口には該開口をシールするシール機構が設けられることを特徴とする魚釣用リール。
【請求項２】
前記シール機構は、前記カバー体と前記回転駆動軸との間で磁気回路を形成して磁性流体を保持する磁気シール機構であることを特徴とする請求項１に記載の魚釣用リール。
【請求項３】
前記転がり式一方向クラッチを逆転可能位置と逆転防止位置との間で切り換えるための切換操作機構が、前記転がり式一方向クラッチの外輪の前記開放端部で、前記転がり式一方向クラッチの構成要素と接続されることを特徴とする請求項１または請求項２に記載の魚釣用リール。
【請求項４】
前記カバー体は、前記リール本体よりも比重が低い材料から形成されることを特徴とする請求項１ないし請求項３のいずれか１項に記載の魚釣用リール。
【請求項５】
前記リール本体は、前記転がり式一方向クラッチの外輪の前記開放端部の外周で終端していることを特徴とする請求項１ないし請求項４のいずれか１項に記載の魚釣用リール。
【発明の詳細な説明】
【技術分野】
【０００１】
本発明は、転がり式一方向クラッチを組み込んで回転駆動軸の逆転防止を図るようにした魚釣用リールに関する。
【背景技術】
【０００２】
通常、魚釣用リールは、ハンドルを回転操作することで、動力伝達機構を介して釣糸をスプールに巻回するように構成されている。例えば、魚釣用リールとしてのスピニングリールでは、ハンドルの回転操作により回転駆動軸を介して釣糸案内部を有するロータを回転させ、スプールに釣糸を巻回する。また、このような魚釣用リールには、実釣時にスプールに巻回されている釣糸の繰り出しでロータが逆転しないように、逆転防止装置が装備されている。
【０００３】
このような逆転防止装置としては、魚釣り操作時の逆転遊度を少なくしてフッキング操作の確実性の向上を図るために、転がり式一方向クラッチを採用したものが一般的に知られている。
【０００４】
このような転がり式一方向クラッチは、例えば特許文献１に開示されるように、回転駆動軸を支持する軸受を保持し且つリール本体に回り止め固定される保持部材に形成した収容部内に収容されている。
【先行技術文献】
【特許文献】
【０００５】
【特許文献１】特開２００２−３２０４３０号公報
【発明の概要】
【発明が解決しようとする課題】
【０００６】
ところで、特許文献１に開示されるリール構造では、ピニオンを有する前記回転駆動軸が、ピニオン歯部の近傍でリール本体に保持された後側の軸受と、リール本体に取り付け固定される別部材の前記保持部材に保持される前側の軸受とによって回転自在に支持されている。すなわち、回転駆動軸を回転可能に支持する２つの軸受が別個の２つの部材によって個別に支持されている。そのため、回転駆動軸の同芯度を高精度に得ることが難しく、良好な回転性能が得られないとともに、回転駆動軸の耐久性も劣ってしまう。
【０００７】
また、特許文献１に開示されるリール構造では、前記保持部材の前部に設けた一方向クラッチの前側に軸受を配置する構成である（すなわち、２つの前記軸受同士の間に一方向クラッチが配置された構成となっている）ため、リール本体の前方突出量が多くなり、リールのコンパクト化および軽量化の面で劣るとともに、一方向クラッチや軸受の効率的且つ確実な防水・防塵を図ることが難しくなる。
【０００８】
本発明は、前記事情に着目してなされたものであり、その目的とするところは、回転駆動軸の同芯度を高精度に得て良好な回転性能を確保できるとともに、一方向クラッチや軸受の効率的且つ確実な防水・防塵を図ることができる形態でリール本体のコンパクト化および軽量化を有利に実現できる魚釣用リールを提供することにある。
【課題を解決するための手段】
【０００９】
前記課題を解決するために、本発明は、ハンドルで回転操作される回転駆動軸とリール本体との間に、一方向の回転を許容し他方向の回転を阻止する転がり式一方向クラッチを設けて前記回転駆動軸の逆転を防止するようにした魚釣用リールにおいて、前記回転駆動軸のピニオン歯部の前側と後側とがそれぞれ、リール本体の支持部に設けられた軸受によって支持され、前記ピニオン歯部の前側に配置された前記軸受の前方側の回動駆動軸上に転がり式一方向クラッチが配置され、前記転がり式一方向クラッチの外輪は、前記回転駆動軸の挿通によってほぼ閉塞される閉塞端部と反対側の開放端部とを有する略筒状体を形成するとともに、前記開放端部が前記ピニオン歯部の前側に配置された前記軸受と対向するように配置され、前記転がり式一方向クラッチを包囲するカバー体がリール本体の前部に取り付けられ、該カバー体は、一方向クラッチを内部に収容保持する収容凹部を形成するとともに、この収容凹部の開口には該開口をシールするシール機構が設けられることを特徴とする。
【００１０】
上記構成によれば、回転駆動軸を回転可能に支持する軸受（ピニオン歯部の前側と後側とに位置する軸受）がいずれもリール本体の支持部に支持されているため、すなわち、２つの軸受が別個の２つの部材によって個別に支持されていないため、回転駆動軸の同芯度を高精度に得て良好な回転性能を確保でき、回転駆動軸の耐久性を従来に比べて向上させることができる。また、上記構成では、ピニオン歯部の前側に配置された前記軸受の前方側の回動駆動軸上に転がり式一方向クラッチを配置してリール本体の全体の前方突出量を抑えるとともに、一方向クラッチの外輪の開放端部をピニオン歯部の前側に配置された前記軸受と対向するように配置して、一方向クラッチを包囲するカバー体の収容凹部の開口にシール機構を設けているため、一方向クラッチや軸受の効率的且つ確実な防水・防塵を図ることができる形態でリール本体のコンパクト化および軽量化を有利に実現できる。なお、上記構成では、リールにおける相対的な位置を示すため、ハンドルから遠い側を「前」として規定し、ハンドルに近い側を「後」として規定している。
【００１１】
また、上記構成では、特許文献１のように転がり式一方向クラッチおよび軸受の両方を収容支持する保持部材を設けるのではなく、転がり式一方向クラッチと軸受とを別個に収容・支持して、収容・支持部のリール本体との一体性を部分的に排除した構成を採用している。具体的には、軸受はリール本体の支持部によって支持する一方、転がり式一方向クラッチは、リール本体とは別個のカバーで包囲して保護するようにしている。このように、カバー体をリール本体と別体とすることにより、カバー体の材料をリール本体の材料と異ならせてカバー体の軽量化を図ることができ（寸法的および形状的に制約をなくすことができ）、結果として、良好な回転性能の維持を図りながら、リール全体の軽量化を図ることができる。
【００１２】
また、上記構成では、前記転がり式一方向クラッチの外輪が、前記回転駆動軸の挿通によってほぼ閉塞される閉塞端部と反対側の開放端部とを有する略筒状体として形成され、前記開放端部が前記ピニオン歯部の前側に配置された前記軸受と対向するように配置されている。この構成によれば、転がり式一方向クラッチの外輪を包囲するカバー体の薄肉化が可能になるとともに、リール本体の材料に対して低比重（リール本体がアルミニウム合金であれば、カバー体は合成樹脂等）の材料の選択も可能になり、可及的軽量化が可能になる。
【００１３】
また、上記構成において、シール機構は、前記カバー体と前記回転駆動軸との間で磁気回路を形成して磁性流体を保持する磁気シール機構であることが好ましい。このように、カバー体と回転駆動軸との間に磁気シール機構を設けることにより、使用環境の厳しい釣場においても、回転性能を低下させることなく確実に防水性能の維持を図ることができる。
【００１４】
また、上記構成では、前記転がり式一方向クラッチを逆転可能位置と逆転防止位置との間で切り換えるための切換操作機構が、前記転がり式一方向クラッチの外輪の前記開放端部で、前記転がり式一方向クラッチの構成要素と接続されることが好ましい。すなわち、一般に、魚釣用リールでは、前記軸受側から一方向クラッチ側へと延び且つ一方向クラッチを逆転可能位置と逆転防止位置との間で切り換えるための切換操作機構が設けられ、この切換操作機構の切換要素を外輪の内部の一方向クラッチの構成要素と接続するために、切換要素がリールの軸方向に延在するが、外輪の開放端部が前記軸受と対向する側に位置されていれば（開放端部で、切換操作機構が前記転がり式一方向クラッチの構成要素と接続されれば）、外輪の開放端部が前記軸受から離れて面する（外輪の閉塞端部が軸受と対向する）配置形態の場合と比べて、切換操作機構の前記切換要素の軸方向延在長さ（切換要素のリール前方側への突出量）を短くすることができ、したがって、リールの軸方向寸法を短くできる（リールの小型化を量ることができる）とともに、その分、軽量化も可能になる。
【００１５】
また、上記構成において、前記カバー体は、前記リール本体よりも比重が低い材料から形成されることが好ましい。これによれば、可及的軽量化を図ることができる。更に、上記構成において、リール本体は、前記転がり式一方向クラッチの外輪の前記開放端部の外周で終端している（すなわち、リール本体が一方向クラッチの開放端部の周辺のみを覆う）ことが好ましい。これによれば、一方向クラッチの回転止め部材の保護としての役割を維持しながら、高強度や高剛性の必要のない一方向クラッチの外輪外側を覆わなくすることで、リール本体の前方突出長さを短くでき、軽量化やコンパクト化が可能になる。
【発明の効果】
【００１６】
本発明によれば、回転駆動軸の同芯度を高精度に得て良好な回転性能を確保できるとともに、一方向クラッチや軸受の効率的且つ確実な防水・防塵を図ることができる形態でリール本体のコンパクト化および軽量化を有利に実現できる魚釣用リールを提供できる。
【図面の簡単な説明】
【００１７】
【図１】本発明の第１の実施形態に係る魚釣用リールの一部断面を伴う側面図である。
【図２】図１の魚釣用リールの要部拡大断面図である。
【図３】図２のＡ−Ａ線に沿う断面図である。
【図４】図２のＢ−Ｂ線に沿う断面図である。
【図５】図３のＣ−Ｃ線に沿う断面図である。
【図６】転がり式一方向クラッチの外輪の回り止め係止部と抜け止め部材の係合部との係合領域の部分拡大断面図である。
【図７】図６のＤ−Ｄ線に沿う断面図である。
【図８】図４のＨ−Ｈ線に沿う要部拡大断面図である。
【図９】本発明の第２の実施形態に係る魚釣用リールの要部拡大断面図である。
【図１０】図９のＥ−Ｅ線に沿う断面図である。
【図１１】図９のＦ−Ｆ線に沿う断面図である。
【発明を実施するための形態】
【００１８】
以下、本発明に係る魚釣用リールの実施形態について、添付図面を参照して具体的に説明する。
【００１９】
図１〜図８は本発明の第１の実施形態に係る魚釣用リールとしてのスピニングリールを示している。図１に示されるように、本実施形態に係るスピニングリールのリール本体１（例えば金属から形成される）には、釣竿に装着されるリール脚２が一体形成されており、その前方には、回転可能に支持されたロータ３と、ロータ３の回転運動と同期して前後動可能に支持されたスプール４とが配設されている。
【００２０】
ロータ３は、スプール４の周囲を回転する一対（図１には一方だけが図示されている）の腕部３ａを備えており、各腕部３ａの夫々の前端部には、ベール３ｂの基端部を取り付けたベール支持部材３ｃが釣糸巻取り位置と釣糸放出位置との間で回動自在に支持されている。なお、ベール３ｂの一方の基端部は、ベール支持部材３ｃに一体的に設けられた釣糸案内部（図示せず）に取り付けられている。
【００２１】
リール本体１内には、ハンドル軸５が回転可能に支持されており、その突出端部には、ハンドル６が取り付けられている。また、ハンドル軸５には、巻き取り駆動機構が係合しており、この巻き取り駆動機構は、ハンドル軸５に一体回転可能に装着された駆動ギヤ７と、この駆動ギヤ７に噛合するピニオン歯部８ａを有すると共にハンドル軸５と直交する方向に延出し且つ内部に軸方向に延在する空洞部が形成された回転駆動軸としてのピニオン８とを備えている。
【００２２】
ピニオン８は、ピニオン歯部８ａの前側と後側とがそれぞれ、リール本体に一体形成した支持部１ａに設けた、具体的には支持部１ａに嵌合支持される軸受９，９’により、リール本体１内に回転可能に支持されている。また、ピニオン８は、スプール４側に向けて延出しており、その先端部において、ロータ３が取り付けられている。なお、ピニオン歯部８ａの前側の軸受９は、一端がピニオン歯部８ａの前端に突き当てられており、後述する転がり式一方向クラッチ１０との間に介挿される抜け止め部材３７によって他端が軸方向で抜け止めされる。一方、ピニオン歯部８ａの後側の軸受９’は、ピニオン歯部８ａの後端とリール本体１の支持部１ａとの間で挟持されることにより軸方向で固定される。
【００２３】
また、ピニオン歯部８ａの前側に配置した軸受９の前方側のピニオン８上には、転がり式一方向クラッチ１０が取り付けられ（配置され）ており、リール本体１の外部に設けられた切換操作レバー１１を回動操作することで一方向クラッチ１０を作動させ、ハンドル６（ロータ３）の釣糸繰出し方向の逆回転を防止する公知の逆転防止機構（ストッパ）を構成するようになっている。
【００２４】
ピニオン８の内部に形成された空洞部には、ハンドル軸５と直交する方向に延出し、先端側にスプール４を装着したスプール軸１２が軸方向に移動可能に挿通されている。また、ピニオン８には、スプール４（スプール軸１２）を前後往復動させるための公知のスプール往復動装置１３が係合している。
【００２５】
このような構成を有する魚釣用スピニングリールにおいて、ハンドル６により巻き取り操作を行うと、ロータ３が巻き取り駆動機構を介して回転駆動される共に、スプール４がスプール往復動装置１３を介して前後往復動されるので、釣糸は、前記釣糸案内部を介してスプール４の巻回胴部４ａに均等に巻回されるようになる。
【００２６】
図２に示されるように、前記転がり式一方向クラッチ１０は、ピニオン８に対して回り止め嵌合された内輪２１と、内輪２１の外側に配された保持器２７と、保持器２７の外側に配された外輪２５とを有しており、後述する略筒状の保護カバー（カバー体）５０によってその外周が包囲されて保護されている。
【００２７】
外輪２５の内周面には、保持器２７によって保持された複数の転動部材２８がフリーに回転できるフリー回転領域と、複数の転動部材の回転を阻止する楔領域とが形成されており、各転動部材２８は、保持器２７に設けられたバネ部材によって楔領域に付勢されている。
【００２８】
また、外輪２５は、それに対するピニオン８の挿通によってほぼ閉塞される閉塞端部２５ｃと反対側の開放端部２５ｂとを有する略筒状体を形成しており、軸受９と転がり式一方向クラッチ１０との間に介挿された前記抜け止め部材３７によってリール本体１に対する回転が阻止されている。具体的には、図３に明確に示されるように、環状リングの形態を成す抜け止め部材３７の周方向の一部には径方向外側に突出する一対の係合部３７ａが互いに周方向に１８０度の角度間隔を隔てて設けられており、これらの係合部３７ａが対応する位置に設けられた外輪２５の切り欠き状の回り止め係止部２５ａに係止されている。そして、係合部３７ａに取着されるネジ３０をリール本体１に螺合する（図３，５，６，７参照）ことにより、外輪２５が係合部３７ａを介してリール本体１に対して回り止めされている。なお、本実施形態において、回り止め係止部２５ａは、外輪２５の開放端部２５ｂに形成されて抜け止め部材３７の係合部３７ａに係合されている。すなわち、本実施形態において、外輪２５は、その開放端部２５ｂを軸受９に対向させた状態で配置されている。そのため、本実施形態では、リールの軸方向寸法を短くするべく、抜け止め部材３７が開放端部２５ｂを通じて筒状の外輪２５内に嵌め込まれている（図２参照）。
【００２９】
このように、本実施形態では、転がり式一方向クラッチ１０の外輪２５に形成した回り止め係止部２５ａを、ピニオン８を回転自在に支持する軸受９の抜け止めを行なう抜け止め部材３７に形成した係合部３７ａに係合可能とし、この抜け止め部材３７を介して、一方向クラッチ１０の外輪２５をリール本体１に回り止めするようにしている。なお、環状の抜け止め部材３７は、その内周側の抜け止め部３７ｂが軸受９の外輪９ａと当接することにより（図３，５，６参照）、軸受９の軸方向の抜け止めを行なう。
【００３０】
このような構成の一方向クラッチ１０において、ピニオン８と共に内輪２１が正回転（ロータ３が釣糸巻取り方向に回転）すると、保持器２７の転動部材２８が外輪２５のフリー回転領域に位置され、そのため、内輪２１の回転力が外輪２５に伝達されず（外輪２５によって阻止されず）、したがって、ピニオン８と共にロータ３が支障なく回転する。これに対して、ピニオン８と共に内輪２１が逆回転（ロータ８が釣糸繰出し方向に回転）しようとすると、保持器２７の転動部材２８が外輪２５の楔領域に位置するため、内輪２１の回転力が外輪２５に伝達され、これがストッパとなって、ピニオン８およびロータ３の回転（逆回転）が阻止される。
【００３１】
また、このような一方向クラッチ１０を伴う逆転防止機構の作動は前記切換操作レバー１１によって切り換え制御できるようになっている。具体的には、図２および図３に示されるように、切換操作レバー１１は、リール本体１内でスプール軸１２と略平行に延びる切り換えカム３３を有しており、この切り換えカム３３の先端突部３３ａは保持器２７の径方向に延びる延出部２７ａの係合孔５２に係合して連結されている（すなわち、転がり式一方向クラッチ１０を逆転可能位置と逆転防止位置との間で切り換えるための切換操作機構が、転がり式一方向クラッチ１０の外輪２５の開放端部２５ｂで、転がり式一方向クラッチ１０の構成要素と接続されている）。したがって、この構成では、切換操作レバー１１を回動操作することにより、切り換えカム３３を介して保持器２７を回動させれば、保持器２７に保持される転動部材２８をバネ部材の付勢力に抗して外輪２５のフリー回転領域に強制的に保持させる逆転可能位置（ロータ３を逆回転させることができる位置）と、転動部材をバネ部材の付勢力によって外輪２５の楔領域に位置させるようにする逆転防止位置（ロータ３の逆回転を防止する位置）との間で選択的に切り換えることができる。
【００３２】
図８に明確に示されるように、一方向クラッチ１０を外周から保護する保護カバー５０は、リール本体１よりも比重が低い材料、例えば樹脂から形成されており、リール本体１に対して着脱自在に取り付けられている。具体的には、保護カバー５０は、径方向外側に位置する外側囲繞部５０ａと、径方向内側に位置する内側囲繞部５０ｂと、これらの囲繞部５０ａ，５０ｂ同士を接続する前端接続部５０ｃとを有しており、前端接続部５０ｃから挿脱可能に差し込まれるボルト１３９を外側囲繞部５０ａと内側囲繞部５０ｂとの間の空間内に導入して一方向クラッチ１０の外周側で延びるリール本体１の延出部１ｂの端部のネジ穴１４０に螺合することにより、リール本体１に対して所謂袋ネジ形態で着脱自在に取り付けられる。この場合、ネジ穴１４０に対するボルト１３９の螺合は、内側囲繞部５０ｂの端面がリール本体１の延出部１ｂの端面に突き当たるまで行なう。これにより、リール本体１には、ハンドル６の操作で連動回転する駆動部材としてのピニオン８（及び／又は、これと一体に回転する内輪２１）を部分的に収容する収容凹部２４０が凹状に形成される。また、この収容凹部２４０は、一方向クラッチ１０を内部に位置決め状態で収容保持するとともに、スプール４側に面する前方側に開口２４０ａを有している。また、この開口２４０ａには水分や異物等が侵入する虞があるため、開口部２４０ａをシールする後述する磁気シール機構１５０が設けられる。このように、保護カバー５０をリール本体１に取り付け固定することにより、収容凹部２４０内に収容された一方向クラッチ１０が軸方向に規制された状態で保持される。
【００３３】
なお、外側囲繞部５０ａの端面とリール本体１との間にはＯリング等のシール部材１７０が介挿される。また、保護カバー５０の外側囲繞部５０ａの外周面には、保護カバー５０をリール本体１に対して着脱するために使用される図示しない工具と螺合するためのネジ部５９が形成されている。
【００３４】
収容凹部２４０内をシールする磁気シール機構１５０は、ピニオン８を所定の隙間を存して囲繞するように配される磁石１５１と、これを保持する保持部材（磁気リング）１５２と、ピニオン８およびリール本体１に嵌合（外嵌）されて磁石１５１との間で（したがって、保護カバー５０とピニオン８との間で）磁気回路を形成する（したがって、少なくとも保持部材１５２と対向する軸方向長さを有する）磁性体としての内輪２１と、磁石１５１と内輪２１との間に保持される磁性流体１５５とにより１つのユニットとして構成される。
【００３５】
この場合、磁石１５１は、ピニオン８を挿通させるように、所定の厚さを具備してリング状に形成されており、保持部材１５２は、そのように形成された磁石１５１を両側から挟持して保持するように構成されている。
【００３６】
なお、保持部材１５２は、リング状の磁石１５１を挟持して保持し且つその内側に周方向に沿って凹所１５１Ａが生じるように形成されており、磁石１５１と共に保護カバー５０によって支持される。具体的には、保持部材１５２は、その一方側で対面接触するボルト１３９の頭部とその他方側で対面接触する保護カバー５０の段部との間に挟圧保持されており、保護カバー５０と保持部材１５２との間にはシール部材１６９が介挿される。また、保持部材１５２は、磁性体としての内輪２１の外表面との間に僅かな隙間Ｇが生じるように構成されている。
【００３７】
磁性体としての内輪２１は、鉄系の材料、例えば、鋼材、ＳＵＳ４３０、ＳＵＳ４４０Ｃ、ＳＵＳ６３０等によって形成されており、これにより、磁石１５１によって、これを保持する保持部材１５２および内輪２１との間に磁気回路が形成されるようになっている。
【００３８】
また、磁性流体１５５は、例えばＦｅ３Ｏ４のような磁性微粒子を、界面活性剤およびベースオイルに分散させて構成されたものであり、粘性があって磁石を近づけると反応する特性を備えている。このため、磁性流体１５５は、磁石１５１、これを保持する保持部材１５２、および、磁性体としての内輪２１によって形成される磁気回路によって、前記凹所１５１Ａ内および前記隙間Ｇ内に安定して保持され、開口部２４０ａをシールする。
【００３９】
以上説明したように、本実施形態の魚釣用リールによれば、ピニオン８を回転可能に支持する軸受９，９’がいずれもリール本体１の支持部１ａに支持されているため、すなわち、２つの軸受９，９’が別個の２つの部材によって個別に支持されていないため、ピニオン９の同芯度を高精度に得て良好な回転性能を確保でき、ピニオン９の耐久性を従来に比べて向上させることができる。また、上記構成では、ピニオン歯部８ａの前側に配置された軸受９の前方側のピニオン８上に転がり式一方向クラッチ１０を配置してリール本体１の全体の前方突出量を抑えるとともに、一方向クラッチ１０の外輪２５の開放端部２５ｂをピニオン歯部８ａの前側に配置された軸受９と対向するように配置して、一方向クラッチ１０を包囲するカバー体５０の収容凹部２４０の開口２４０ａにシール機構１５０を設けているため、一方向クラッチ１０や軸受９，９’の効率的且つ確実な防水・防塵を図ることができる形態でリール本体１のコンパクト化および軽量化を有利に実現できる。
【００４０】
また、本実施形態の魚釣用リールによれば、特許文献１のように転がり式一方向クラッチ１０および軸受９，９’の両方を収容支持する保持部材をリール本体１に設けるのではなく、転がり式一方向クラッチ１０と軸受９，９’とを別個に収容・支持して、収容・支持部のリール本体１との一体性を部分的に排除した構成を採用している。具体的には、軸受９，９’はリール本体１の支持部１ａによって支持する一方、転がり式一方向クラッチ１０は、リール本体１による回り止め支持ではなく、該クラッチ１０の外輪２５を抜け止め部材３７によりリール本体１に回り止め係止しつつリール本体１とは別個の保護カバー５０で転がり式一方向クラッチ１０の外輪２５の外周部を包囲して保護するようにしている。このように、保護カバー５０をリール本体１と別体とすることにより、保護カバー５０の材料をリール本体１の材料と異ならせて保護カバーの軽量化を図ることができ（寸法的および形状的に制約をなくすことができ）、結果として、良好な回転性能および確実な逆転止め機能の維持を図りながら、リール全体の軽量化を図ることができる。また、回転駆動軸としてのピニオン８を支持する軸受９，９’と逆転止めを行なう転がり式一方向クラッチ１０との収容部をそれぞれ分離する構成としているため、転がり式一方向クラッチ１０の組み込み・分解の作業性が格別に向上する。なお、転がり式一方向クラッチ１０の組み込み・分解時は、保護カバー５０をリール本体１から取り外して行なう。この場合、リール本体１の延出部１ｂが軸方向に長く延在していないため、転がり式一方向クラッチ１０の組み込み・分解は容易である。
【００４１】
また、本実施形態の魚釣用リールによれば、転がり式一方向クラッチ１０の外輪２５が、ピニオン８の挿通によってほぼ閉塞される閉塞端部２５ｃと反対側の開放端部２５ｂとを有する略筒状体として形成され、開放端部２５ｂがピニオン歯部８ａの前側に配置された軸受９と対向するように配置されている。この構成によれば、転がり式一方向クラッチ１０の外輪２５を包囲するカバー体５０の薄肉化が可能になるとともに、リール本体１の材料に対して低比重（リール本体がアルミニウム合金であれば、カバー体は合成樹脂等）の材料の選択も可能になり、可及的軽量化が可能になる。
【００４２】
また、本実施形態の魚釣用リールにおいて、シール機構１５０は、カバー体５０とピニオン８の間で磁気回路を形成して磁性流体を保持する磁気シール機構として構成されている。このように、カバー体５０とピニオン８との間に磁気シール機構１５０を設けることにより、使用環境の厳しい釣場においても、回転性能を低下させることなく確実に防水性能の維持を図ることができる。また、本実施形態の魚釣用リールにおいて、カバー体５０は、リール本体１よりも比重が低い材料から形成されている。そのため、可及的軽量化を図ることができる。
【００４３】
また、本実施形態では、回り止め係止部２５ａが一方向クラッチ１０の外輪２５の開放端部２５ｂに形成されて抜け止め部材３７の係合部３７ａに係合されているため、すなわち、回り止め係止部２５ａを有する外輪２５の開放端部２５ｂがピニオン８を回転自在に支持する軸受９と対向する側に位置されているため、言い換えると、開放端部２５ｂで、切換操作機構が転がり式一方向クラッチ１０の構成要素と接続できるようになっているため、外輪２５の開放端部２５ｂが軸受９から離れて面する（外輪９の閉塞端部２５ｃが軸受９と対向する）配置形態の場合と比べて、切換操作レバー１１を含む切換操作機構の切換要素３３，３３ａの軸方向延在長さを短くすることができ、したがって、リールの軸方向寸法を短くできる（リールの小型化を量ることができる）とともに、その分、軽量化も可能になる。更に、この構成によれば、転がり式一方向クラッチ１０の外輪２５を包囲する保護カバー５０の薄肉化および樹脂化も可能になり、可及的軽量化が可能になる。更に、リール全体の重心位置も従来技術のものに対し、後方（スプール４と反対側）になることから、その重心位置をリール脚２の竿への取り付け側付け根の真下に近づけることができ、操作性が向上する。
【００４４】
図９〜図１１は本発明の第２の実施形態に係る魚釣用リールとしてのスピニングリールを示している。図９に示されるように、本実施形態に係るスピニングリールでは、保護カバー５０の内側囲繞部５０ｂとリール本体１の延出部１ｂとが排除されており（すなわち、リール本体１は、転がり式一方向クラッチ１０の外輪２５の開放端部２５ｂの外周で終端している）、また、内側囲繞部５０ｂの代わりに前側保持部５０ｂ’、延出部１ｂの代わりに後側保持部１ｂ’が設けられており、重量を削減しながら、効率良く一方向クラッチ１０の外輪２５の位置を保持し、回転の円滑性向上や、異音低減、止め部材３７への強度負荷低減の効果が得られる。勿論、重量削減を最優先にする場合などは、前側保持部５０ｂ’や後側保持部１ｂ’を完全に排除しても良い。また、外側囲繞部５０ａの外周面のネジ部５９に代えて、手動回転操作を容易ならしめ比剛性を高める凹凸形状５９’が外側囲繞部５０ａの外周面に施されている（図１０も参照）。また、保護カバー５０は、その外側囲繞部５０ａの端部の雌ネジ部１６０がリール本体１の雄ネジ部１６２に螺合されることにより、リール本体１に対して着脱自在に取り付けられる。これらにより、保護カバー５０を固定するための別体部品（例えばネジ）が不要になり、また、保護カバー５０の内側囲繞部５０ｂとリール本体１の延出部１ｂとが排除されているので更なる軽量化が得られる。また、更に、保護カバー５０によって形成される前記収容凹部２４０の開口２４０ａに予めゴムリングなどから成るシール部材１９０を装着することで、収容凹部２４０内のシール状態が容易に確保される（図１１も参照）ので、メンテナンスや修理の都合が良い。なお、それ以外の構成は第１の実施形態と同一である。したがって、このような構成によっても第１の実施形態と同様の作用効果を得ることができるとともに、特に、本構成では、リール本体１が、転がり式一方向クラッチ１０の外輪２５の開放端部２５ｂの外周で終端しているため、一方向クラッチ１０の回転止め部材の保護としての役割を維持しながら、高強度や高剛性の必要のない一方向クラッチ１０の外輪外側を覆わなくすることで、リール本体１の前方突出長さを短くでき、軽量化やコンパクト化が可能になる。
【００４５】
本発明は、前述した実施形態に限定されず、その要旨を逸脱しない範囲で種々変形して実施できることは言うまでもない。例えば、前述した実施形態では、本発明がスピニングリールに適用されているが、本発明は、スピニングリール以外のリールにも適用でき、リールのタイプも限定されない。
【符号の説明】
【００４６】
１  リール本体
１ａ  支持部
４  スプール
６  ハンドル
８  ピニオン（回転駆動軸）
８ａ  ピニオン歯部
９，９’  軸受
１０  転がり式一方向クラッチ
１１  切換操作レバー（切換操作機構）
２５  外輪
２５ｂ  開放端部
２５ｃ  閉塞端部
５０  カバー
１５０  シール機構（磁気シール機構）
１５５  磁性流体
２４０  収容凹部
２４０ａ  開口
【図１】
2010273581.tif 000003
【図２】
2010273581.tif 000004
【図３】
2010273581.tif 000005
【図４】
2010273581.tif 000006
【図５】
2010273581.tif 000007
【図６】
2010273581.tif 000008
【図７】
2010273581.tif 000009
【図８】
2010273581.tif 000010
【図９】
2010273581.tif 000011
【図１０】
2010273581.tif 000012
【図１１】
2010273581.tif 000013